(57)【要約】      （修正有）【課題】３回転以上回転し、回転する頁数と行数を増やすことができ、情報量が多くても使いやすい回転式冊子を提供する。【解決手段】一対の左頁部２と右頁部３と、一対以上の左頁巻帯５と右頁巻帯４からなり、冊子の内容を行毎に分け、奇数行の各内容を表裏に印刷した帯は、各行の右頁巻帯５として巻帯の右端３１ｂを右頁の対応する行の左端３１ａに接続し、偶数行の各内容を表裏に印刷した帯は、各行の左頁巻帯４として巻き帯の左端２２ｂを左頁の対応する行の右端２２ａに接続し、帯が接続した左右の頁は、左右の頁を谷折りに巻帯を巻き、巻帯の巻き終わりの端を右頁巻帯５の左端３１ｄは、左頁の対応する行の左端２１ｃに接続し、左頁巻帯４の右端２２ｄは、右頁の対応する行の右端３２ｃに接続する事により作成でき、接続した冊子の中心部から観音開きに開くことにより、次々と隠れている頁が現れる事を特徴とする。【選択図】図１
0003205807.tif 000002
【実用新案登録請求の範囲】
【請求項１】
一対の左頁部と右頁部と、一対以上の左頁巻帯と右頁巻帯からなり、
冊子の内容を行毎に分け、奇数行の各内容を表裏に印刷した帯は、各行の右頁巻帯として巻帯の右端を右頁の対応する行の左端に接続し、偶数行の各内容を表裏に印刷した帯は、各行の左頁巻帯として巻き帯の左端を左頁の対応する行の右端に接続し、帯が接続した左右の頁は、左右の頁を谷折りに巻帯を巻き、巻帯の巻き終わりの端を右頁巻帯の左端は、左頁の対応する行の左端に接続し、左頁巻帯の右端は、右頁の対応する行の右端に接続する事により作成でき、接続した冊子の中心部から観音開きに開くことにより、次々と隠れている頁が現れる事を特徴とする回転式冊子。
【請求項２】
左右の巻帯の端を筒状にして左右の頁部を差し込み、巻帯と頁部の接続の強度を増し、頁部に行間仕切りを設置することで巻帯がからむ事を防ぐ構造にし、
回転式冊子の帯の長さと数を自由に決められる利点を使い、帯の表裏に周期表や歴史年表などを印刷し、使いやすく携帯型の周期表や年表として学習上利用できる事を特徴とする回転式冊子。
【考案の詳細な説明】
【技術分野】
【０００１】  本考案は、左右の頁に帯状の行を何重にも巻いたのち、左右頁を接続した冊子の中央部分から開くことにより隠れている頁が次々に現れる回転式冊子に関するものである。
【背景技術】
【０００２】  従来から、「パタパタ」や「からくり屏風」と呼ばれる仕掛けおもちゃが知られており、図７は従来のからくり屏風の作成手順（ａ）〜（ｃ）を示した図である。
しかしながら、従来の「パタパタ」や「からくり屏風」は、台紙に帯状の紙を上下に交差するように２枚以上巻き付けることにより左右に開き新しい面が出るが、二回転するだけであり、三回転以上回転し、隠れた頁が次々出る事はなかった。
【考案の概要】
【考案が解決しようとする課題】
【０００３】  本考案は、上記した従来の問題点の解決を目的としている。
二回転しかしないと変わる絵などを４種類しか楽しめない。何回も回転する冊子を作ることにより、教育上有意義な周期表や歴史年表などの携帯しやすい回転式冊子ができる。
【課題を解決するための手段】
【０００４】  本考案は、一対の左頁部と右頁部と、一対以上の左頁巻帯と右頁巻帯からなり、
奇数行の内容を右頁巻帯の表裏に印刷し、右頁の左端に対応する行の右頁巻帯の右端を接続した後、谷折りにして巻き付け、偶数行の内容を左頁巻帯の表裏に印刷し、左頁の右端に対応する行の左頁巻帯の左端を接続した後、谷折りにして巻き付け、最後に右頁巻帯の左端を左頁左端に接続し、左頁巻帯の右端を右頁右端に接続することにより作成できる回転式冊子は、中央部から観音開きに開くと次々と隠れている頁が現れ、長い表に表されるような学習内容を携帯し、回転させながら学習できる。
【考案の効果】
【０００５】  本考案を用いると、左右の頁巻帯の長さを変えることにより、回転する回数が増え、頁数を増やすことができ、左右の頁巻帯の数を上下に増やすことにより、回転する行を増やすことができる。
したがって、本考案を用いると行数や列数が多く、それに伴って表示される情報量の多い回転式冊子、例えば、元素の長周期表や歴史年表や単位換算表などのような教育上有意義な回転式冊子を低コストで作製することができる。
【図面の簡単な説明】
【０００６】
【図１】実施例１の回転式冊子の基本構造  （ａ）右頁巻帯５の右端３１ｂを右頁３の左上端３１ａに接続した右頁  （ｂ）左頁巻帯４の左端２２ｂを左頁２の右下端２２ａに接続した左頁  （ｃ）それぞれの巻帯を谷折りして巻いた状態  （ｄ）右頁３の右下部３２ｃと左頁巻帯の右端２２ｄを接続し、左頁２の左上端２１ｃと右頁巻帯の左端３１ｄを接続してできた回転式冊子１  （ｅ）回転式冊子１を真横から見た図
【図２】実施例１の回転式冊子の使用方法  （ａ）回転式冊子１の左頁に１、▲１▼が右頁に２、▲２▼が見えている状態で中心部より開く  （ｂ）隠れている文字が見えてくる冊子を開く途中の状態。（ｃ）回転し、左頁に３、▲３▼が右頁に４、▲４▼が見える次の頁が現れた状態。
【図３】実施例２の回転式周期表の頁部構造  （ａ）縦方向に二つ折りにする左右頁部と頁にはさむ厚紙とはさんだ状態。（ｂ）巻き付ける帯と帯の間の行間仕切り７
【図４】実施例２の回転式周期表の巻帯と頁部の接続構造  （ａ）右頁巻帯５の右端から二番目の折り線５１１ａ山折りし、右端の５１１ｂを右から三番目の折り線５１１ｃの裏面に接続し、右頁差し込み口５１を作る。（ｂ）左頁巻帯４の左端から二番目の折り線４１１ａを山折りし、左端の４１１ｂを左から三番目の折り線４１１ｃの裏面に接続し、左頁差し込み口４１を作る。（ｃ）右頁差し込み口５１に周期表右頁３１１を差し込み、左頁差し込み口４１に周期表左頁２１１を差し込み、巻き帯と頁部を接続する。
【図５】実施例２の回転式周期表組み立て  （ａ）奇数行の右頁巻き帯の各々の右頁差し込み口５１に周期表右頁３１１を差し込み、頁部と巻き帯部を接続し、谷折りに巻いていく。（ｂ）偶数行の左頁巻き帯の各々の左頁差し込み口４１に周期表左頁２１１を差し込み、頁部と巻き帯部を接続し、谷折りに巻いていく。（ｃ）巻帯を巻いた左頁の一行目左端２１１ａに右頁巻帯左端から二番目５１１ｄの山折り部分が重なるように右頁巻帯を巻き、巻帯の左端５１１ｅを巻帯の左から三番目の５１１ｆ裏面に接続し、同じように３行目以降の奇数行を接続する。巻帯を巻いた右頁の二行目右端の３１１ｂに左項巻帯の右から二番目４１１ｄの山折り部分が重なるように左頁巻帯を巻き、巻帯の右端４１１ｅを巻帯の右から三番目の４１１ｆの裏面に接続、同じように４行目以降の偶数行を接続することにより作成できる回転式周期表。
【図６】実施例２の回転式周期表の使い方  （ａ）周期表の１族と２族が表示されている回転式周期表１１の中央部を開く  （ｂ）周期表の３族、４族が現れる。（ｃ）同じように中央部から開いていくと次の族が現れ、次々と回転させていくと最後に１７族、１８族が現れる。
【図７】従来型からくり屏風  （ａ）上段巻帯と下段巻帯  （ｂ）左右頁  （ｃ）巻き帯でつないだ左右頁  （ｄ）横から見た図
【考案を実施するための形態】
【０００７】  本考案に係わる回転式冊子について、図１〜図２を用いて詳細に説明する。本考案を用いた回転式冊子１は、一対の左頁部と右頁部と、一対以上の左頁巻帯と右頁巻帯からなり、
右頁３の左上端３１ａと右頁巻帯５の右端３１ｂを接続し谷折りしていき、
左頁２の右下端２２ａと左頁巻帯４の左端２２ｂを接続し谷折りしていき、
帯を巻き付けた右頁の巻帯の左端３１ｄと左頁の左上端２１ｃを接続し、
帯を巻き付けた左頁の帯の右端２２ｄと右頁右端下３２ｃを接続した構造の冊子で、
中央部から開いていくと隠れている頁が次々と現れる回転する冊子。
左右の頁巻帯の長さを長くし、巻き数を増やすことにより回転する頁数を増加させたり、帯の数を増やすことにより行数を増やすことができる。  帯のおもて裏に情報を書き込むことにより元素の周期表や歴史年表や単位換算表などのように、頁数や行数が多く情報量の多い回転式冊子（行数や列数の多い表形式のもの）を容易にかつ低コストで作製することができる。
【実施例１】
【０００８】  以下、添付図面に従って実施例を説明する。図１（ａ）は、回転式冊子１を構成する右頁３の左上端部３１ａと右頁巻帯５の右端３１ｂの接続図。（ｂ）は、回転式冊子１を構成する左頁２の右下端部２２ａと左頁巻帯４の左端２２ｂの接続図。（ｃ）は、左頁巻帯４を接続した左頁２を谷折りして帯を巻き付けた左頁２と右頁巻帯５を接続した右頁３を谷折りして帯を巻き付けた右頁３であり、（ｄ）は、左頁２の左上端２１ｃと右頁巻帯５の左端３１ｄを接続し、右頁３の右下端３２ｃと左頁巻帯４の右端の２２ｄを接続することにより作成した回転式冊子の基本形、（ｅ）は、回転式冊子を横から見た図。
【実施例２】
【０００９】  図３は、帯が長く回転数が多い時にスムーズに回転するように頁部に厚みを持たせるため厚紙を挟み、帯の数が多く行数が多いため行間に仕切りを持つ構造とし、帯同士が絡むことなく、巻きやすくした。図４は、頁部と帯の接続強度を増すために帯の端に頁差し込み口を設け筒状にし、頁部を差し込む構造とした。図５（ａ）（ｂ）のように右頁に奇数行の右頁巻帯を接続し、左頁に偶数行の左頁巻帯を接続し各々を谷折りで巻いていき、図５（ｃ）のように帯を巻いた頁を隣り合わせにし、一行目の右頁巻帯の折り線５１１ｄを左頁の一行目左端２１１ａに合わせるように巻き帯の左端５１１ｅを５１１ｆの裏面に接着する。同様に左頁巻帯の折り線４１１ｄを右頁の二行目右端３１１ｂに合わせるように巻き右端の４１１ｅを４１１ｆの裏面に接続する。同じように３行目以降も接続することにより作成できる回転式周期表。
＜回転式冊子の使用方法＞【００１０】  図２を用いて回転式冊子の使い方について説明する。
図２（ａ）は、回転式冊子のおもて側の左頁には１と▲１▼が右頁には２と▲２▼が見えている。図２（ｂ）この左右の頁の中央部を開いていくと次の頁の文字が見えてきて、さらに開いていくと図２（ｃ）左頁には３と▲３▼が、右頁には４と▲４▼が見える。同じ方法で中央部を開いていくと次々と頁が現れる。【００１１】  図６を用いて回転式周期表の使い方を説明する。図６（ａ）では１族２族が表示されている。中央部から外側に開いていくと（ｂ）のように３族、４族が現れる。同じように中央部から開いていく動作を続けると最後に１７族、１８族が現れる。大きな周期表が持ちやすい携帯サイズとなり、族毎に次々表示されるため、学習上も有意義な冊子となる。
【符号の説明】
【００１２】１．回転式冊子１
１１      回転式周期表
２．左頁
２１ｃ    左頁左上端
２２ａ    左頁右下端
２２ｂ    左頁巻帯左端
２２ｄ    左頁巻帯右端
２１１    周期表左頁
２１１ａ  周期表左頁  １行目左端
３．右頁
３１ａ    右頁右上端
３１ｂ    右頁巻帯  右端
３１ｄ    右頁巻帯  左端
３２ｃ    右頁右下端
３１１ｂ  周期表右頁  二行目右端
４．左頁巻帯
４１      左頁差し込み口
４１１ａ    左頁巻帯  左端から２番目折り線（山折り）
４１１ｂ    左頁巻帯  左端
４１１ｃ    左頁巻帯  左端から３番目折り線
４１１ｄ    左頁巻帯  右端から２番目折り線（山折り）
４１１ｅ    左頁巻帯  右端
４１１ｆ    左頁巻帯  右端から３番目折り線
５．右頁巻帯
５１      右頁差し込み口
５１１ａ    右頁巻帯  右端から２番目折り線（山折り）
５１１ｂ    右頁巻帯  右端
５１１ｃ    右頁巻帯  右端から３番目折り線
５１１ｄ    右頁巻帯  左端隣から２番目折り線（山折り）
５１１ｅ    右頁巻帯  左端
５１１ｆ    右頁巻帯  左端から３番目折り線
６．厚紙
７．行間仕切り
８．上端巻帯
９．下段巻帯
【図１】
0003205807.tif 000003
【図２】
0003205807.tif 000004
【図３】
0003205807.tif 000005
【図４】
0003205807.tif 000006
【図５】
0003205807.tif 000007
【図６】
0003205807.tif 000008
【図７】
0003205807.tif 000009
【手続補正書】
【提出日】平成28年5月23日(2016.5.23)
【手続補正１】
【補正対象書類名】実用新案登録請求の範囲
【補正対象項目名】全文
【補正方法】変更
【補正の内容】
【実用新案登録請求の範囲】
【請求項１】
一対の左頁部と右頁部と、一対以上の左頁巻帯と右頁巻帯からなり、
冊子の内容を行毎に分け、奇数行の各内容を表裏に印刷した帯は、各行の右頁巻帯として巻帯の右端を右頁の対応する行の左端に接続し、偶数行の各内容を表裏に印刷した帯は、各行の左頁巻帯として巻き帯の左端を左頁の対応する行の右端に接続し、帯が接続した左右の頁は、左右の頁を谷折りに巻帯を巻き、巻帯の巻き終わりの端を右頁巻帯の左端は、左頁の対応する行の左端に接続し、左頁巻帯の右端は、右頁の対応する行の右端に接続する事により作成でき、接続した冊子の中心部から観音開きに開くことにより、次々と隠れている頁が現れる事を特徴とする回転式冊子。
【請求項２】
左右の巻帯の端を筒状にして左右の頁部を差し込み、巻帯と頁部の接続の強度を増し、頁部に行間仕切りを設置することで巻帯がからむ事を防ぐ構造にし、
回転式冊子の帯の長さと数を自由に決められる利点を使い、帯の表裏に周期表や歴史年表などを印刷し、使いやすく携帯型の周期表や年表として学習上利用できる事を特徴とする請求項１に記載の回転式冊子。